(57)【要約】【課題】加熱調理器の操作や本体動作状態を表示するとともに音声ガイドで操作しやすく、警告報知時には表示だけでなく音声で確実に警告する加熱調理器を提供すること。【解決手段】スピーカーの取り付け位置と操作部穴や貫通穴を設けることで操作部を防水構成にして開閉自在にしても、スピーカーの音が操作者に大きく鮮明に聞こえるとともに、使い勝手の良い加熱調理器を提供することができる。【選択図】図１
2006331770.tif 000002
【特許請求の範囲】
【請求項１】
本体上部に被加熱物を載置し、前記本体天面に備えた加熱装置と、本体天面もしくは本体前面に備えた操作部と、前記操作部に表示装置を備え、前記操作部内に防水的に収納された発音装置と、前記本体下部に設けた貫通穴とを有した加熱調理器。
【請求項２】
貫通穴は発音装置下方に位置するとともに操作部下方に位置し、さらに本体の下面に位置する請求項１に記載の加熱調理器。
【請求項３】
操作部は開閉機構を有し、操作部の開閉に応じて発音装置の位置が変わり、前記操作部の操作時に発音装置が操作をする人の方向を向く構成とした請求項１または２に記載の加熱調理器。
【請求項４】
操作部に発音装置が最後に報知した内容を再度報知させる再報知ボタンを備えた請求項１に記載の加熱調理器。
【請求項５】
再報知ボタンを２秒以上長押しすることで報知音量を変えることができる請求項４に記載の加熱調理器。
【請求項６】
表示装置の表示内容のうち警告表示について、発音装置が補足内容を報知する請求項１〜５のいずれか１項に記載の加熱調理器。
【請求項７】
本体をキッチンの収納部に収納し、本体下部と収納部前面との隙間より発音装置の発した音が本体前面に拡散する構成とした請求項１〜６のいずれか１項に記載の加熱調理器。
【発明の詳細な説明】
【技術分野】
【０００１】
本発明は、一般家庭等で使用する加熱調理器に関するものである。
【背景技術】
【０００２】
従来、この種の加熱調理器は、台所のキッチンに載置するかキッチンに埋め込んで設置されるものが一般的である。従来は操作の受け付け表示や動作状態の報知は本体操作部近傍の表示部等によるものが多かった。
【０００３】
前述のように操作の受け付け表示や動作状態の報知は本体操作部近傍の表示部等による構成にしていたが、うっかり操作や、操作を次々にした場合に本体の各バーナーの動作が解かりにくく、また次の操作が解かりにくかった。
【０００４】
従来の操作や動作の京治構成として以下の構成のものがある（例えば、特許文献１参照）。
【０００５】
前記従来の加熱調理器は、操作や動作の報知にＬＥＤやＬＣＤを使用しブザー等で報知する構成をしていた。
【特許文献１】特開２００４−２１４２１５号公報
【発明の開示】
【発明が解決しようとする課題】
【０００６】
しかしながら、従来の加熱調理器では、操作したことや現在の動作状態を表示したり、操作を確認するためにブザーを鳴らす構成であったが、うっかり見なかったり聞き逃がしたりすることがあり、操作をまちがえたり、次の適切な動作がわからないといった課題を有していた。
【０００７】
本発明は、上記従来の課題を解決するもので、操作や機器の動作状態を表示するとともに、音声で操作や動作状態を報知するだけでなく、次の適切な操作をアドバイスしたり、警告表示とともに補足事項を説明したりし、より使い勝手の良い加熱調理器を提供することを目的としている。
【課題を解決するための手段】
【０００８】
前記従来の課題を解決するために、本発明の加熱調理器は、操作部に操作や動作の状態を表示する表示部を備えるとともに、音声でガイドする発音装置をそなえた構成とするとともに、発音装置が本体内に収納されて防水構成とする一方で鮮明な音声でガイドする構成とし、また、音声ガイドは再度聞きなおすことができる再報知ボタンを備えて、特に警告等の注意を確実に伝えるとともに、補足の内容をガイドするものであり、従来のようにその時点の操作や動作の状態を表示するのみの報知に比べて、安全で使い勝手の良い構成にすることができるものである。
【０００９】
これによって、発音装置を本体内に収納し、発音装置からの音を本体下部から本体前方向に放散することで、操作や本体動作の説明や警告を何度も確認できて、さらに補足内容も説明する構成にできるものである。
【発明の効果】
【００１０】
本発明の加熱調理器は、本体前面に備えた操作部と、前記操作部内に防水的に収納された発音装置とを備え、前記本体下部に設けた貫通穴とを有することで、調理時に水が発音装置にかかったりすることなくかつ鮮明な音声で報知することができるので、うっかり操作を間違えたり警告表示を見落としたりすることなく、安全で使い勝手の良い構成とすることができる。
【発明を実施するための最良の形態】
【００１１】
第１の発明は、本体上部に被加熱物を載置し、前記本体天面に備えた加熱装置と、本体天面もしくは本体前面に備えた操作部と、前記操作部に表示装置を備え、前記操作部内に防水的に収納された発音装置と、前記本体下部に設けた貫通穴とを有した構成とすることにより、操作や本体動作を表示装置で表示するだけでなく、音声によるガイドで簡単な操作ができるとともに、発音装置の発する音を本体底部から本体外に鮮明に放散することができる加熱調理器を提供することができる。
【００１２】
第２の発明は、特に第１の発明において、貫通穴を発音装置下方に位置させるとともに操作部下方に位置し、さらに本体の下面に位置する構成とすることにより、発音装置から発した音が効率的に本体下部から外方に放散されるとともに、操作している操作者に近い位置で発音装置の発する音を本体下部から本体外に放散して操作者に聞き取りやすくし、本体に水等が注がれても発音装置に水が付着することなく音を発することができる加熱調理器を提供することができる。
【００１３】
第３の発明は、特に第１〜第２のいずれか１つの発明の操作部が開閉機構を有し、操作部の開閉に応じて発音装置の位置が変わり、前記操作部の操作時に発音装置が操作をする人の方向を向く構成としたことにより、操作や本体の動作状態を表示装置で表示するだけでなく発音装置による音声による報知が鮮明に報知できる加熱調理器を提供することができるものである。
【００１４】
第４の発明は、特に第１の発明の操作部に発音装置が最後に報知した内容を再度報知させる再報知ボタンを備えた構成としたことにより、表示装置と発音装置とによる報知をもう一度報知内容を確認する必要があるときに、再報知ボタンを操作することで発音装置による最後のガイド内容を再度確認することができる加熱調理器を提供することができるものである。
【００１５】
第５の発明は、特に第４の発明の再報知ボタンを２秒以上長押しすることで報知音量を変えることができる構成とすることにより、加熱調理器を設置する場所や環境に応じて発音装置の音量を適切な大きさに調整できて報知内容を的確に確認できる加熱調理器を提供することができるものである。
【００１６】
第６の発明は、特に第１〜第５のいずれか１つの発明の表示装置の表示内容のうち警告表示について、発音装置が補足内容を報知する構成とすることにより、表示装置で表示する警告内容の補足説明が音声で確認できることで、より安全で使い勝手の良い加熱調理器を提供することができるものである。
【００１７】
第７の発明は、特に第１〜第６のいずれか１つの発明の本体をキッチンの収納部に収納し、本体下部と収納部前面との隙間より発音装置の発した音が本体前面に拡散する構成としたことにより、発音装置の発する音を本体下方から本体前面に放散することで、操作する人の方向に音が伝わることとなり、大きくて鮮明な音で報知できる加熱調理器を提供することができるものである。
【００１８】
以下、本発明の実施の形態について、図面を参照しながら説明する。なお、この実施の形態によって本発明が限定されるものではない。
【００１９】
（実施の形態１）
図１は本発明の実施の形態１における加熱調理器の操作部の断面図を示すものである。
【００２０】
図２は本発明の実施の形態１における加熱調理器の操作部側の断面図を示すものである。図３は本発明の実施の形態１における加熱調理器の分解斜視図を示すものである。図４は本発明の実施の形態１における加熱調理器の操作部の断面図を示すものである。図５は本発明の実施の形態１における加熱調理器のキッチンへの収納図を示すものである。
【００２１】
図１〜図５に示すように、略直方体の本体１の天面には耐熱ガラスで形成された天板２が備えてある。天板２の下には電磁加熱調理装置である加熱コイル３が左右に１組ずつ配置してある。本体１後部には加熱コイル３と三角形を成す位置に略円形のラジエントヒーター４が備えてある。本体１下部右側には操作部５が本体１から前面方向に凸形状に設けてある。本体１下部左側には魚を焼くグリル６が備えてある。本体１右側の操作部５の後方で本体１内部には冷却装置であるシロッコファン式の冷却ファン７が縦軸方向の構成で備えられている。冷却ファン７の吸気口８は本体１後部上面に設けてある。操作部５後方であり冷却ファン７の前方には制御回路９が上下２段に収納されている。前記冷却ファン７の送風が制御回路９の発熱部品を冷却することとなる。
【００２２】
制御回路９の上方に位置して送風を制御回路９上に誘導する基板カバー１０が制御回路９上を覆っている。加熱コイル３は本体１左側のグリル６上部と前記基板カバー１０上部に配置されている。各々の加熱コイル３は各々３本の支持ばね１１を介して基板カバー１０とグリル６上部に支持されている。
【００２３】
基板カバー１０には冷却ファン７からの風を加熱コイル３側に分岐する第１の分岐部１２と第２の分岐部１３が設けてある。第１の分岐部１２は基板カバー１０上の加熱コイル３を冷却するための穴であり、第２の分岐部１３はグリル６上の加熱コイル３を冷却するための傾斜した筒形状である。第１の分岐部１２で分岐された送風は制御回路９上部の加熱コイル３を冷却することとなる。第２の分岐部１３で分岐された送風はグリル６上部の加熱コイル３を冷却することとなる。
【００２４】
第１の分岐部１２と第２の分岐部１３の形状を調整することで、制御回路９側に流れる空気と加熱コイル３側に流れる空気の比率を調整し、第１の分岐部１２の位置や第２の分岐部１３の形状を調整することで加熱コイル３のどこを冷却するかを調整することができる。制御回路９と加熱コイル３を冷却した空気は左の排気口１４から排出される。
【００２５】
本体１をキッチン１５に収納する場合は、本体１は前面に操作部５が凸形状であるので、操作部５を先に収納部１６に入れて、操作部５をキッチン１５の操作部口１７に誘導する。
【００２６】
冷却ファン７は本体１内の制御回路９で発生する最大約５００Ｗの発熱を冷却する。冷却ファン７の駆動モーター（図示せず）は交流モーターか直流モーターである。冷却ファン７はシロッコファン等で形成されている。
【００２７】
天板２上には鍋１８が載置されて、制御回路９に制御された加熱コイル３により鍋１８が電磁誘導で加熱される。
【００２８】
操作部５には前面に防水性能とデザイン性のためにガラス板１９が固定されている。操作部５は操作基板２０を内蔵し、操作ボタン２１と液晶表示素子で形成した表示装置である表示部２２を上方に向けて備えている。操作部５下部には軸２３を中心に操作部５を本体１に収納した状態と操作部５を開いて操作や表示部２２が見える状態に切り替える回転動作ができる構成にしてある。この軸２３を中心に回転して開閉する構成で開閉機構２４を形成している。
【００２９】
操作部５は当初閉じられていて本体１外部からは操作できない。操作部５のガラス板１９を押すことで、操作部５の後方に備えられた爪２５がハートカム機構を有するラッチ２６との係り関係を解放するので、板ばね（図示せず）が操作部５を外方に押す力で軸２３を中心に操作部５が前方に回転して開くこととなる。ストッパー２７が係止部２８に当たって回転は停止する。
【００３０】
操作部５内部には操作基板２０の下部に発音装置であるスピーカー２９が上向きに固定されている。スピーカー２９は操作部５に設けた前筒部３０の下端に位置し、さらにスピーカー２９下から後筒部３１のネジ止め部３２をネジ３３で固定することでスピーカー２９を操作部５に固定する。操作部５が軸２３を中心に回転するとスピーカー２９も回転することとなる。
【００３１】
操作部５下部には操作部穴３４がスピーカー２９下方に設けてある。さらに本体１下面で操作部５下方に位置して本体１に貫通穴３５が複数個設けてある。貫通穴３５は操作部５下方に位置するともに操作部穴３４下方に位置する。前記スピーカー２９、後筒部３１、操作部穴３４、貫通穴３５は操作部５を閉じている位置関係では直線上に位置する。また、操作部５を開いた状態ではスピーカー２９、後筒部３１、の直線近傍に操作部穴３４と貫通穴３５が位置するので、スピーカー２９から発せられた音は本体１下面から外方に放散されて操作者が聞き取りやすい音量と鮮明な音質になる。
【００３２】
操作部５には再報知ボタン３６が備えられている。再報知ボタン３６を押すと最後にスピーカー２９が報知した内容を再度報知する。また、再報知ボタン３６を２秒以上押してその後再報知ボタン３６を離すと、報知する音の音量を大きくすることができる。再度２秒以上の長押し操作をすると、報知する音量を順次変更することができ、設置場所や使用環境に応じて報知する音量を変更することができる。
【００３３】
なお、前記天板２の操作部５側にはタッチ式の天板操作ボタン３７が複数個設けてあり、操作部５以外の操作または操作部５の操作も含めて天板２上のみで操作できる構成にしてある。また、天板２には天面再報知ボタン３８が設けてある。
【００３４】
通常使用中は操作や本体動作の状態を制御回路９によりあらかじめ決められている内容を表示部２２に表示し、必要と考えられるパターンではスピーカー２９から表示内容を音声で説明する。また、次の操作を必要とする場合には制御回路９からスピーカー２９により次の操作を案内するガイド内容を報知する。操作や本体動作において注意する事柄がある場合には制御回路９がスピーカー２９から注意内容を報知することとなる。
【００３５】
操作中に表示部２２に警告表示が表示される状態になると、制御回路９によりスピーカー２９から警告表示の補足内容が発せられる。操作者が再報知ボタン３６を操作すると一番最近に警告表示が表示部２２に表示されたときに報知した補足内容を再度報知する。
【００３６】
通常使用時に再報知ボタン３６を押すと、通常使用時の案内内容の最後に案内した内容が再度報知される。
【００３７】
以上のように構成された加熱調理器について、以下その動作、作用を説明する。
【００３８】
まず、キッチン１５の収納部１６に本体１の操作部５から誘導して操作部５が操作部口１７にセットされる。天板２は収納部１６の幅５６ｃｍよりも大きい６０ｃｍ幅に形成されているので天板２が収納部１６を通過することなくキッチン１５天面に載置されて本体１のセットは完了する。本体１と操作部口１７との間には若干の隙間が形成されている。
【００３９】
天板２の上に鍋１８等を載置して操作部５を操作して制御回路９を駆動し、加熱コイル３に通電することで加熱コイル３が鍋１８を電磁誘導で加熱する。所望の加熱を終了すると操作部５を操作して加熱コイル３による鍋１８加熱を停止する。
【００４０】
前述の加熱コイル３の駆動中に制御回路９や加熱コイル３が発熱するので、冷却ファン７を駆動して送風することとなる。冷却ファン７を駆動すると、吸気された空気は冷却ファン７により制御回路９や加熱コイル３に送風されて冷却することとなる。
【００４１】
制御回路９に送風されて空気は制御回路９の発熱部品を冷却し、本体１後部上面に位置する排気口１４から室内上方に向かって排気される。このとき鍋１８から排出される蒸気や油煙を巻き込んで上昇気流となる。
【００４２】
制御回路９に送風された空気の一部は第１の分岐部１２と第２の分岐部１３から制御回路９上部の基板カバー１０上部とグリル６上部へ誘導されて、基板カバー１０上部とグリル６上部に位置する加熱コイル３を冷却することとなる。加熱コイル３を冷却した後に、空気はさらに本体１後方へと押しやられて、天板２後方の左後部に配置された排気口１４から室内上方に排気される。
【００４３】
調理を行う場合に天板２の天板操作ボタン３７を操作する場合と、操作部５を開いて操作する場合があるが、まず操作部５を開いて操作する場合について説明する。操作部５のガラス板１９を押すと操作部５に設けられた爪２５がラッチ２６から外れて操作部５が板ばね（図示せず）に押されて、軸２３を中心に回転して操作ボタン２１や表示部２２が見えるまで回転する。係止部２８がストッパー２７に当接すると回転を停止する。
【００４４】
操作部５を開いている場合にスピーカー２９は操作者の方向を向いている。調理をするためまたは調理中に操作ボタン２１を押すと表示部２２に操作内容や調理中の本体動作内容が表示され、操作の確認のために制御回路９がスピーカー２９から音声でガイドする。スピーカー２９から発せられた音は前筒部３０を通って操作部５を介して操作者に聞こえる一方で、スピーカー２９の反対側から後筒部３１を通って操作部穴３４を介して貫通穴３５を通過して本体１外方に放散されて、操作部口１７と本体１下面との隙間３９から音が外方に届いて、操作者が聞き取りやすい大きくて鮮明な音となる。スピーカー２９、後筒部３１は一直線上にあり、操作部穴３４と貫通穴３５とはスピーカー２９の直線上近くに位置するので、音声が本体１外方に放散されやすく、操作者には大きくて鮮明な音が届くこととなる。操作者にはスピーカー２９の前部から放散された音とスピーカー２９の後ろから発せられた音の合計が届くこととなる。
【００４５】
次に、操作部５を閉じて操作する場合について説明する。操作部５を閉じている状態ではスピーカー２９は操作部５内で真上を向いている。前筒部３０と後筒部３１とはスピーカー２９の中心線上で真上を向いた位置関係にある。操作部穴３４と貫通穴３５はスピーカー２９の中心線に近い位置関係にある。調理をするためまたは調理中に操作部５を閉じた状態で天板２の天面操作ボタン３７を操作すると、操作の確認のために制御回路９がスピーカー９から音声でガイドする。操作部５は閉じられているので、天面再操作ボタン３８を押すと最後にスピーカー２９から報知されたガイドが再度報知される。
【００４６】
スピーカー２９から発せられた音は前筒部３０を介して操作部５上方に達するが、操作部５が本体１内に収納されているので、音は操作者には届きにくい。スピーカー２９下方に発せられた音は後筒部３１を介して操作部穴３４から貫通穴３５を通って本体１外方に放散される。操作者は操作部５近傍に位置しているために操作部５近くの貫通穴３５から放散された音は操作者に届くこととなる。しかもスピーカー２９と後筒部３１と操作部穴３４と貫通穴３５はほぼ一直線上にあるので、音の減衰が小さくて大きな音が操作者に届くとともに、穴を通過する音であるので鮮明な音が伝わることとなる。
【００４７】
操作部５を閉じていると前述のようにスピーカー２９からの音はスピーカー２９前部からの音は操作部５内で減衰するが、スピーカー２９後ろからの音はスピーカー２９と後筒部３１と操作部穴３４と貫通穴３５とが直線上に位置するので、スピーカー２９後ろからの音は本体１下面から小さな減衰しかなく操作者に届くこととなる。一方、操作部５が開いている場合はスピーカー２９前部からの音は前筒部３０を通って操作面を介して操作者に届く。
【００４８】
スピーカー２９後ろからの音は後筒部３１を通って操作部穴３４を通るが、操作部穴３４はスピーカー２９の直線上からは外れているので、本体１下部からの音は操作部５が閉じている場合に比べると減衰が大きい。操作部５上面からの音と操作部５下面からの音の合計が操作者に届く音であり、操作部５を開閉した場合の音の大きさや鮮明さは操作部５の開閉に関係なく同じレベルに維持できる。
【００４９】
（実施の形態２）
図６は本発明の実施の形態２における加熱調理器の操作部の断面図である。
【００５０】
操作部４０は樹脂部材で形成されていて操作部４０自体は動くことはない。発音装置であるスピーカー４１は操作部４０内の下方に位置し、下を向いて固定されている。前筒部４２はスピーカー４１の報知方向である下方向に伸設されて本体４３底面に設けられた貫通穴４４と連通している。スピーカー４１と前筒部４２と貫通穴４４とは一直線上に配置されている。また、貫通穴４４は操作部４０近傍の本体４３下面に位置している。
【００５１】
スピーカー４１はばね４５で本体４３底方向に押さえられて固定されている。調理時には操作部４０前に備えられた操作つまみ４６で調理の火力を調整する。再報知ボタン４７は警告報知の聞き直しや調理の説明の聞きなおし時に押すと最後にガイドした内容を再度報知する。
【００５２】
以上のように構成された加熱調理器について、以下その動作、作用を説明する。
【００５３】
実施の形態１の操作部５を閉じた状態と同じ状態であり、スピーカー４１の動作は同じである。スピーカー４１からの音は前筒部４２を通って貫通穴４４を通って本体４３下面から外方に放散される。貫通穴４４は操作部４０に近い本体４３下面に設けてあるので、操作者に近い位置で音が本体外方に放散されるので、スピーカー４１から発せられた音は減衰することなく大きな音が操作者に届くとともに、貫通穴４４で解放された通路を通って外方に放散されるので、鮮明な音質で聞くことができる。
【産業上の利用可能性】
【００５４】
以上のように、本発明にかかる加熱調理器は、スピーカーの取り付け位置と操作部穴や貫通穴を設けることで操作部を防水構成にして開閉自在にしても、スピーカーの音が操作者に大きく鮮明に聞こえるとともに、使い勝手の良い加熱調理器を提供することができる。
【図面の簡単な説明】
【００５５】
【図１】本発明の実施の形態１における加熱調理器の操作部の断面図
【図２】本発明の実施の形態１における加熱調理器の操作部側の断面図
【図３】本発明の実施の形態１における加熱調理器の分解斜視図
【図４】本発明の実施の形態１における加熱調理器の操作部の断面図
【図５】本発明の実施の形態１における加熱調理器のキッチンへの収納図
【図６】本発明の実施の形態２における加熱調理器の操作部の断面図
【符号の説明】
【００５６】
１  本体
２  天板（天面）
５  操作部
１６  収納部
２２  表示部（表示装置）
２４  開閉機構
２９  スピーカー（発音装置）
３５  貫通穴
３６  再報知ボタン
３８  天面再報知ボタン
３９  隙間
４０  操作部
４１  スピーカー（発音装置）
４３  本体
４４  貫通穴
４７  再報知ボタン
【図１】
2006331770.tif 000003
【図２】
2006331770.tif 000004
【図３】
2006331770.tif 000005
【図４】
2006331770.tif 000006
【図５】
2006331770.tif 000007
【図６】
2006331770.tif 000008